(57)【要約】【課題】樹脂層との密着性に優れ、応力が加わっても樹脂層に亀裂や欠けが発生したり、樹脂層が剥離したりすることを抑制できる発光素子実装用リードフレーム、該リードフレームに樹脂層を一体成型した発光素子実装用樹脂成型体、及び、該樹脂成型体に発光素子を実装し、個片化して得られる表面実装型発光装置を提供する。【解決手段】  互いに離隔して絶縁される２以上のリード部２０、２１からなる単位実装領域１０と、複数の単位実装領域１０を縦横に連結し、個片化の際に切断により分離される連結領域１１とを備え、連結領域１１の少なくとも切断される予定の領域が、単位実装領域１０におけるリード部２０、２１間の絶縁領域２２の延長上の対応領域２２ａを除いて、切断方向に沿って連続した板状に構成されてなることを特徴とする発光素子実装用リードフレーム１。【選択図】図２
2015056591.tif 000002
【特許請求の範囲】
【請求項１】
互いに離隔して絶縁される２以上のリード部からなる単位実装領域と、複数の前記単位実装領域を縦横に連結し、個片化の際に切断により分離される連結領域とを備え、
前記連結領域の少なくとも前記切断される予定の領域が、
前記単位実装領域における前記リード部間の絶縁領域の延長上の対応領域を除いて、切断方向に沿って連続した板状に構成されてなることを特徴とする発光素子実装用リードフレーム。
【請求項２】
前記連結領域は、
前記リード部の前記絶縁領域を臨む縁辺を除く周縁から外側に連続して設けられ、前記リード部よりも薄肉である周縁部と、
前記周縁部の外側にさらに連続して設けられ、前記リード部よりも薄肉である切断予定部とより構成されてなる請求項１に記載の発光素子実装用リードフレーム。
【請求項３】
前記周縁部に、厚み方向に貫通する１以上の貫通孔を設けてなる請求項２に記載の発光素子実装用リードフレーム。
【請求項４】
前記リード部における樹脂層が形成される位置に、厚み方向に貫通する１以上の貫通孔を設けてなる請求項１〜３のいずれか１項に記載の発光素子実装用リードフレーム。
【請求項５】
前記貫通孔は、
前記リード部における発光素子が実装される表面からその反対側の裏面に向かう方向において、内径が次第に拡径するテーパ状に設けられてなる請求項３または４に記載の発光素子実装用リードフレーム。
【請求項６】
前記切断予定部を、前記周縁部よりも薄肉に構成してなる請求項２に記載の発光素子実装用リードフレーム。
【請求項７】
前記リード部の前記絶縁領域を臨む縁辺部に、前記絶縁領域に沿って延びる所定幅の薄肉部を段差状に設けてなる請求項１〜６のいずれか１項に記載の発光素子実装用リードフレーム。
【請求項８】
請求項１〜７のいずれか１項に記載の発光素子実装用リードフレームと、
前記リードフレームへの一体成型により、前記リードフレームに備わる各単位実装領域の表面が底面として露出する凹部を形成する複数の穴を有する樹脂層と、
を備えてなることを特徴とする発光素子実装用樹脂成型体。
【請求項９】
請求項１〜７のいずれか１項に記載の発光素子実装用リードフレームの単位実装領域と、
前記単位実装領域への一体成型により、前記単位実装領域の表面が底面として露出する凹部を形成する穴を有する樹脂層と、
前記凹部の底面として露出する前記単位実装領域表面に各リード部と通電可能に実装される発光素子と、
前記凹部に充填される透明性樹脂からなる透明性樹脂層と、
を備えてなることを特徴とする表面実装型発光装置。
【発明の詳細な説明】
【技術分野】
【０００１】
本発明は、発光素子実装用リードフレーム、発光素子実装用樹脂成型体及び表面実装型発光装置に関する。
【背景技術】
【０００２】
発光ダイオード（ＬＥＤ）、レーザーダイオード（ＬＤ）等の発光素子を実装した表面実装型発光装置（以下、単に「発光装置」とすることがある。）は、視認性に優れた高輝度の光を発色することが可能であると共に、小型化が可能で、消費電力が低く、長寿命である、といった数々の利点を有している。このため、発光装置は、例えば、電球、ダウンライト、ベースライト、街灯、信号機等の照明器具、液晶ディスプレイ等のバックライト光源等として使用され、その用途は急速に拡大しつつある。
【０００３】
発光装置は、例えば、２以上の互いに離隔するリード部からなる複数の単位実装領域を縦横に連結したリードフレームの表面に、各単位実装領域の一部が底面として露出する凹部を形成する穴を複数有する樹脂層を一体成型して樹脂成型体を作製し、該樹脂成型体を切断により単位実装領域毎に個片化して１つの凹部を有するリフレクタ（個片化された樹脂成型体）を作製し、該リフレクタの凹部底面の単位実装領域に発光素子を実装することにより作製されている（特許文献１、２）。
【０００４】
図１４は、従来技術の発光素子実装用リードフレーム１００の要部の構成を模式的に示す平面図である。図１４に示すリードフレーム１００は、第１、第２のリード部１２０、１２１と、これらを離隔するスリット部とからなる単位実装領域１１０と、単位実装領域１１０を縦横に複数連結する連結片１１１ａ、１１１ｂ、１１１ｃからなる連結領域１１１とを備えている。
【０００５】
連結片１１１ａ、１１１ｂ、１１１ｃは、リードフレーム１００に樹脂層を一体成型した樹脂成型体又は該樹脂成型体に発光素子を実装した発光装置集合体を個片化した場合、第１、第２のリード部１２０、１２１に繋がった微細な断片として樹脂層中に埋まった状態で残存することになる。このような微細な断片が樹脂層中に残存すると、樹脂成型体または発光装置集合体を個片化する際の切断応力や、発光装置を取り付けた照明器具や液晶装置など不可抗力的に付加される外部応力が微細な断片と樹脂層との境界面に集中し易くなり、該境界面を起点として樹脂層に亀裂や欠けが発生したり、さらには樹脂層が単位実装領域表面から剥離したりするといった問題がある。
【０００６】
また、各単位実装領域１１０を連結する連結片１１１ａ、１１１ｂ、１１１ｃの幅が微小であることから、リードフレーム１００自体の剛性が低く、すだれ状に変形し易いという問題がある。リードフレーム１００の変形は、例えば、樹脂成型体の凹部の形成位置にずれを生じ、切断時に所定の箇所（連結片１１１ａ、１１１ｂ、１１１ｃ）で切断できないといった不具合をもたらす。
【０００７】
図１５は、特許文献３に記載されたリードフレーム１０１の構成を模式的に示す平面図である。リードフレーム１０１は、複数の単位実装領域１１２と、第１、第２、第３の連結片１１３、１１４、１１５と、第２、第３の連結片１１４、１１５を横方向に連結する帯状補強片１１６と、を備えている。帯状補強片１１６は、リードフレーム１０１の剛性をある程度高めることができるものの、切断による個片化に際し、１つの単位実装領域１１２における第１、第２のリード１２５、１２６の短絡を確実に防止するためには、帯状補強片１１６の領域ではなく、第２、第３の連結片１１４、１１５の領域をそれぞれ切断することが必要になり、切断による個片化工程が煩雑になる。また、第２、第３の連結片１１４、１１５は非常に微細なものであるから、切断に際しては高度な位置決め精度が要求される。さらに、切断後の第１、第２、第３の連結片１１３、１１４、１１５の断片と樹脂層との境界面に応力が集中し易くなる点は、図１４に示すリードフレーム１００と同じである。
【先行技術文献】
【特許文献】
【０００８】
【特許文献１】特開平１１−３０７８２０号公報
【特許文献２】特開２０１０−６２２７２号公報
【特許文献３】特開２０１２−１９１２３３号公報
【発明の概要】
【発明が解決しようとする課題】
【０００９】
本発明の目的は、樹脂層との密着性が高く、応力が加わっても樹脂層に亀裂や欠けが発生したり、樹脂層が剥離したりすることを抑制できる発光素子実装用リードフレーム、該リードフレームに樹脂層を一体成型した発光素子実装用樹脂成型体、及び、該樹脂成型体に発光素子を実装し、個片化して得られる表面実装型発光装置を提供することである。
【課題を解決するための手段】
【００１０】
本発明者らは、上記課題を解決するために鋭意研究を重ねた結果、絶縁領域を介して対向する２以上のリード部からなる単位実装領域を縦横に連結し、個片化の際には切断により分離される連結領域を有するリードフレームにおいて、連結領域中の少なくとも切断が予定される領域を、２以上のリード部間の絶縁領域の延長上の対応領域を除いて、切断方向に沿って連続した板状に構成することにより、所望の効果を有するリードフレームが得られることを見出し、本発明を完成するに至った。
【００１１】
すなわち本発明は、下記（１）〜（７）の発光素子実装用リードフレーム、下記（８）の発光素子実装用樹脂成型体及び下記（９）の表面実装型発光装置を提供する。
【００１２】
（１）互いに離隔して絶縁される２以上のリード部からなる単位実装領域と、複数の単位実装領域を縦横に連結し、個片化の際に切断により分離される連結領域とを備え、連結領域の少なくとも切断される予定の領域が、単位実装領域におけるリード部間の絶縁領域の延長上の対応領域を除いて、切断方向に沿って連続した板状に構成されてなることを特徴とする発光素子実装用リードフレーム。
【００１３】
（２）連結領域は、リード部の絶縁領域を臨む縁辺を除く周縁から外側に連続して設けられ、リード部よりも薄肉である周縁部と、周縁部の外側にさらに連続して設けられ、リード部よりも薄肉である切断予定部とより構成されてなる上記（１）の発光素子実装用リードフレーム。
（３）周縁部に、厚み方向に貫通する１以上の貫通孔を設けてなる上記（２）の発光素子実装用リードフレーム。
（４）リード部における樹脂層が形成される位置に、厚み方向に貫通する１以上の貫通孔を設けてなる上記（１）〜（３）のいずれかの発光素子実装用リードフレーム。
（５）貫通孔は、リード部における発光素子が実装される表面からその反対側の裏面に向かう方向において、内径が次第に拡径するテーパ状に設けられてなる上記（３）または（４）の発光素子実装用リードフレーム。
（６）切断予定部を、周縁部よりも薄肉に構成してなる上記（２）の発光素子実装用リードフレーム。
（７）リード部の絶縁領域を臨む縁辺部に、絶縁領域に沿って延びる所定幅の薄肉部を段差状に設けてなる上記（１）〜（６）のいずれかの発光素子実装用リードフレーム。
【００１４】
（８）上記（１）〜（７）のいずれかの発光素子実装用リードフレームと、リードフレームへの一体成型により、リードフレームに備わる各単位実装領域の表面が底面として露出する凹部を形成する複数の穴を有する樹脂層と、を備えてなることを特徴とする発光素子実装用樹脂成型体。
【００１５】
（９）上記（１）〜（７）のいずれかの発光素子実装用リードフレームの単位実装領域と、単位実装領域への一体成型により、単位実装領域の表面が底面として露出する凹部を形成する穴を有する樹脂層と、凹部の底面として露出する単位実装領域表面に各リード部と通電可能に実装される発光素子と、凹部に充填される透明性樹脂からなる透明性樹脂層と、を備えてなることを特徴とする表面実装型発光装置。
【発明の効果】
【００１６】
本発明によれば、絶縁領域を介して対向する２以上のリード部からなる単位実装領域を縦横に複数連結し、個片化の際に切断される連結領域において、連結領域の少なくとも切断される予定の領域を、単位実装領域におけるリード部間の絶縁領域の延長上の対応領域を除いて、切断方向に沿って連続した板状となるように発光素子実装用リードフレーム（以下、単に「リードフレーム」とすることがある。）が構成される。これにより、リードフレームの剛性を向上させることができる。その結果、切断による個片化工程における位置決めの自由度が高まり、個片化工程を省力化できる。
【００１７】
また、該リードフレームを切断により個片化した場合には、微小な切断片などを有さない、ほぼ直線状に連続した長く延びる切断面が側面に現われる。このため、該リードフレームを含む樹脂成型体または発光装置集合体を切断により個片化しても、切断時の外部応力が一点に集中せず、ほぼ均一に分散させることができるので、単位実装領域と樹脂層との密着性を高めることができると共に、樹脂層における亀裂や欠けの発生、樹脂層の単位実装領域からの剥離などを顕著に抑制できる。さらに、上記の通り長く延びる切断面が露出することにより、半田の付着性を向上させることができるので、発光装置の照明器具や液晶装置への取り付け工程を省力化できると共に、発光装置の放熱性を顕著に高め、その耐熱性や耐用性を向上させることができる。
【００１８】
本発明によれば、連結領域を、リード部の絶縁領域を臨む縁辺を除く周縁から外側に連続して設けられ、リード部よりも薄肉である周縁部と、周縁部の外側にさらに連続して設けられ、リード部よりも薄肉である切断予定部とにより構成することにより、切断による個片化後に周縁部と単位実装領域とが一体化され、周縁部表面にも樹脂層を形成することができ、樹脂層の大面積化が可能になるので、単位実装領域と樹脂層との密着性を向上させることができる。
【００１９】
本発明によれば、周縁部に、厚み方向に貫通する１以上の貫通孔を設けることにより、貫通孔内にも杭の機能を有する樹脂層が形成され、該樹脂層は単位実装領域表面の樹脂層と繋がっているので、単位実装領域と樹脂層との密着性をさらに向上させることができ、樹脂層の単位実装領域からの剥離を顕著に抑制することができる。
【００２０】
本発明によれば、リード部における樹脂層が形成される位置に、厚み方向に貫通する１以上の貫通孔を設けることにより、単位実装領域表面に樹脂層を一体成型する際に、貫通孔内にも杭の機能を有する樹脂層が形成されるので、樹脂層の単位実装領域に対する密着性、ひいては樹脂層の剥離抑制性を向上させることができる。
【００２１】
本発明によれば、貫通孔の内部空間形状を、リード部の発光素子実装面（表面）から裏面に向かう方向において、内径が次第に拡径するテーパ状とすることにより、貫通孔内に形成された杭の機能を有する樹脂層が貫通孔から離脱し難くなり、かつ該樹脂層は単位実装領域表面の樹脂層と繋がっているので、単位実装領域と樹脂層との密着性をより一層向上させることができる。
【００２２】
本発明によれば、切断予定部を、周縁部よりも薄肉に構成することにより、個片化工程における切断をより円滑に実施することができる。
【００２３】
本発明によれば、リード部の絶縁領域を臨む縁辺部に、絶縁領域に沿って延びる所定幅の薄肉部を段差状に設けることにより、絶縁領域内に充填された樹脂層の杭としての機能を高めることができ、単位実装領域と全体としての樹脂層との密着性のさらなる向上を図ることができる。
【００２４】
本発明によれば、発光素子実装用樹脂成型体（以下、単に「樹脂成型体」とすることがある。）を、上記リードフレームと、リードフレームへの一体成型により、リードフレームに備わる各単位実装領域の表面が底面として露出する凹部を形成する複数の穴を有する樹脂層とを備えるように構成することにより、個片化による切断応力が加えられても、樹脂層における亀裂や割れの発生、樹脂層の単位実装領域からの剥離などが起こり難く、不良品率を低下させることができる樹脂成型体を得ることができる。
【００２５】
本発明によれば、表面実装型発光装置（以下、単に「発光装置」とすることがある。）を、上記リードフレームの単位実装領域と、単位実装領域との一体成型により、単位実装領域の表面が底面として露出する凹部を形成する穴を有する樹脂層と、凹部の底面として露出する単位実装領域表面に各リード部と通電可能に実装される発光素子と、凹部に充填される透明性樹脂からなる透明性樹脂層とを備えるように構成することにより、リード部の断面である金属面が側面のほぼ全周にわたって露出する発光装置を得ることができる。該発光装置は、金属面がその側面に多く露出して高い放熱性を有しているので、その耐熱性や耐久性、耐用性を向上させることができる。また、該発光装置を取り付けた照明器具や液晶装置に対して不可抗力的に外部応力が加わった場合でも、樹脂層における亀裂や欠け、樹脂層の単位実装領域からの剥離などが顕著に抑制されるので、その点でも耐久性や耐用性を向上させることができる。
【図面の簡単な説明】
【００２６】
【図１】本発明の第１実施形態であるリードフレームに備わる単位実装領域および周縁部の構成を模式的に示す図面である。
【図２】第１実施形態のリードフレームの要部の構成を模式的に示す平面図である。
【図３】単位実装領域と周縁部との別の繋がり形態を示す断面図である。
【図４】本発明の第２実施形態であるリードフレームに備わる単位実装領域および周縁部の構成を模式的に示す図面である。
【図５】第２実施形態のリードフレームの要部の構成を模式的に示す平面図である。
【図６】本発明の第３実施形態であるリードフレームに備わる単位実装領域および周縁部の構成を模式的に示す図面である。
【図７】第３実施形態のリードフレームの要部の構成を模式的に示す平面図である。
【図８】本発明の第４実施形態であるリードフレームに備わる単位実装領域および周縁部の構成を模式的に示す図面である。
【図９】第４実施形態のリードフレームの要部の構成を模式的に示す平面図である。
【図１０】本発明の第５実施形態であるリードフレームの要部の構成を模式的に示す断面図である。
【図１１】本発明の第６実施形態であるリードフレームの要部の構成を模式的に示す平面図である。
【図１２】本発明の第７実施形態である樹脂成型体の構成を模式的に示す図面である。
【図１３】本発明の第８実施形態である表面実装型発光装置の構成を模式的に示す斜視図である。
【図１４】従来技術のリードフレームの要部の構成を模式的に示す平面図である。
【図１５】特許文献３に記載のリードフレームの要部の構成を模式的に示す平面図である。
【発明を実施するための形態】
【００２７】
次に、本発明の実施形態を添付図面に基づき詳細に説明する。
【００２８】
図１は、本発明の第１実施形態であるリードフレーム１に備わる単位実装領域１０および周縁部１５の構成を模式的に示す図面である。図１（ａ）は単位実装領域１０および周縁部１５の平面図である。図１（ｂ）は単位実装領域１０および周縁部１５の断面図である。図２は、本発明の第１実施形態であるリードフレーム１の要部の構成を模式的に示す平面図である。リードフレーム１において、任意の数の単位実装領域１０を縦横に配列することができる。なお、本明細書においては、発光素子が実装される側の面を表面と呼び、発光素子が実装される面とは反対側の面を裏面と呼ぶ。
【００２９】
図２に示すように、リードフレーム１は、互いに離隔して絶縁領域であるスリット部２２により絶縁される第１、第２のリード部２０、２１からなる単位実装領域１０と、複数の単位実装領域１０を縦横に連結し、個片化の際に切断により分離される連結領域１１と、連結領域１１により縦横に連結された複数の単位実装領域１０の集合体を一体的に支持する枠部（不図示）とを備える。
【００３０】
単位実装領域１０は、図１に示すように、第１のリード部２０と、第１のリード部２０と同じ単位実装領域１０において隣り合う第２のリード部２１と、第１、第２のリード部２０、２１の間を縦方向に延びるほぼ帯状の空間であり、第１、第２のリード部２０、２１を横方向に離隔する絶縁領域であるスリット部２２とからなる。
【００３１】
第１、第２のリード部２０、２１のスリット部２２を臨む縁辺部には、第１、第２のリード部２０、２１よりも薄肉であり、かつスリット部２２に沿って縦方向に延びる所定幅の薄肉部２０ｄ、２１ｄを段差状に設けている。これにより、スリット部２２内に充填される樹脂層の杭としての機能が向上し、全体としての樹脂層と単位実装領域１０との密着性が向上する。また、図１には、第１、第２のリード部２０、２１の絶縁領域であるスリット部２２を臨む縁辺以外の周縁からその外側に連続して設けられる周縁部１５を図示しているが、これは連結領域１１に属するので、詳細については後述する。なお、本実施形態では、薄肉部２０ｄ、２１ｄと周縁部１５とは厚みが同じで連続して繋がるように構成されている。
【００３２】
単位実装領域１０において、第１、第２のリード部２０、２１は、いずれも、縦方向が長手方向となるほぼ矩形の基本形状を有し、スリット部２２を介してほぼ平行に配置されている。本実施形態では、第１、第２のリード部２０、２１の基本形状はほぼ矩形であるが、これに限定されず、矩形の四隅が三角形、四角形等の形状で欠損した形状、矩形の四隅が丸くなった形状、正方形、菱形、円形、半円形、楕円形等であってもよい。
【００３３】
単位実装領域１０に樹脂層を形成して発光装置を作製する場合、例えば、第１のリード部２０は発光素子を実装するダイパッドの機能を持たせると共に、正負一方の電極として機能させることができ、第２のリード部２１は正負他方の電極として機能させることができる。もちろん、第１のリード部２０に一方の電極機能だけを持たせ、第２のリード部２１にダイパッド機能と他方の電極機能とを持たせても良い。
【００３４】
また、本実施形態では２つのリード部を用いているが、これに限定されず、３つ以上のリード部を用いても良い。３つのリード部としては、例えば、面積が比較的大きなリード部を中央に配置し、該リード部の左右方向の両側にそれぞれスリット部を介して面積が比較的小さなリード部を配置した構成が挙げられる。この場合、面積が比較的大きなリード部にダイパッド機能を持たせ、両側の面積が比較的小さなリード部に正負の電極機能を持たせることが好ましい。
【００３５】
第１、第２リード部２０、２１の表面および裏面、特に表面には、金、銀、銅、アルミニウム等からなる金属層を形成することができる。金属層の厚みは特に限定されず、金属層を構成する金属の種類等に応じて適宜選択される。例えば、金属が銀である場合は、金属層の変色や発熱、剥離等を抑制する観点から、金属層の厚みは、好ましくは０．５μｍ〜２０μｍ、より好ましくは１μｍ〜１５μｍである。金属層は、例えば、電気めっき、化学めっき、蒸着、スパッタリング、拡散等の各種方法を利用して形成することができる。
【００３６】
連結領域１１は、単位実装領域１０における第１、第２のリード部２０、２１間のスリット部２２の縦方向両側の対応領域２２ａを除いて、切断方向に沿って連続した板状に構成されていることを特徴とする。対応領域２２ａとは、より具体的には、縦方向に対向する一対の単位実装領域１０において、一方および他方のスリット部２２を連結する空間である。
【００３７】
連結領域１１は、第１、第２のリード部２０、２１の絶縁領域であるスリット部２２を臨む縁辺を除く周縁から外側に連続して設けられ、第１、第２のリード部２０、２１よりも薄肉である周縁部１５と、周縁部１５の外側にさらに連続して設けられ、第１、第２のリード部２０、２１よりも薄肉である切断予定部１６とで構成されている。ここで、切断予定部１６が、連結領域１１の切断される予定の領域である。
【００３８】
周縁部１５は、個片化時に切断予定部１６の切断により単位実装領域１０と一体化される部分であり、図１（ｂ）に示すように、その表面が第１、第２のリード部２０、２１の表面とは段差を有し、かつその裏面が第１、第２のリード部２０、２１の裏面と同一平面となることにより、第１、第２のリード部２０、２１よりも薄肉に構成されている。周縁部１５の薄肉化により、樹脂層を一体成型する際に、硬化性樹脂の流れがよくなり、単位実装領域１０のほぼ全域に硬化性樹脂が十分に行き渡りやすくなるので、単位実装領域１０と樹脂層との界面において樹脂層が存在しない空隙部分の発生が少なくなり、単位実装領域１０と樹脂層との接着性や密着性を向上させることができる。なお、周縁部１５には後述するように貫通孔が形成されることがあるが、切断予定部１６は切断方向に沿って連続した板状に構成されているので、貫通孔などが形成されることがない。
【００３９】
周縁部１５を第１、第２リード部２０、２１の所定の周縁の外側に設けることにより、リードフレーム１に樹脂層を一体成型した場合に、周縁部１５の表面にもほぼ全体にわたって樹脂層が形成されるので、単位実装領域１０および周縁部１５と樹脂層との密着領域が大面積となる。その結果、リードフレーム１を含む樹脂成型体または発光装置の集合体を個片化する際に付加される切断応力や、発光装置が取り付けられた照明器具や液晶装置などに外部から不可抗力的に応力が加わっても、樹脂層における亀裂や欠けの発生、樹脂層の単位実装領域１０からの剥離などが顕著に抑制される。
【００４０】
周縁部１５と切断予定部１６とからなり、連続した板状に設けられた連結領域１１を構成することにより、周縁部１５は上記した優れた効果をもたらすとともに、リードフレーム１の剛性を高めることができ、リードフレーム１を含む樹脂成型体や発光装置集合体を個片化する際の位置決めの自由度が向上し、個片化工程の所要時間を短縮し、不良品率を低下させることができる。さらに、切断予定部１６を切断することにより得られる周縁部１５の端面が、微細な切断片を有さない、ほぼ直線状に連続して長く延びる切断面となるので、リードフレーム１を含む樹脂成型体や発光装置の集合体を個片化する際に、応力の一点への集中が起こり難くなるので、この点からも樹脂層における亀裂や欠けの発生、樹脂層のリードフレーム１や単位実装領域１０からの剥離などが起こり難くなる。
【００４１】
なお、切断予定部１６は、周縁部１５よりも更に薄肉に構成されていることが好ましい。これにより、切断による個片化工程の省力化を図ることができる。
【００４２】
本実施形態では、複数の単位実装領域１０を連結領域１１により縦横に連結した集合体の１つをリードフレーム１としているが、これに限定されず、リードフレーム１自体が複数個連結されるように構成しても良い。
【００４３】
リードフレーム１は、例えば、電気良導体である金属材料から構成される金属板を用い、フォトリソグラフィ技術を利用したエッチング法などにより作製できる。金属材料としては特に限定されないが、体積抵抗が０．０７Ω・ｍ未満であり、かつ熱伝導率が６０Ｗ／（ｍ・ｋ）以上の金属材料が好ましく、たとえば、鉄、銅、銅合金（例えばリン青銅）等が挙げられる。
【００４４】
図３は、単位実装領域１０と周縁部１５との別の繋がり形態を示す断面図である。
図３（ａ）に示す繋がり形態では、周縁部１５の表面が第１、第２のリード部２０、２１の表面と同一平面になり、かつ周縁部１５の裏面が第１、第２のリード部２０、２１の裏面と段差を有するように構成されている。薄肉部２０ｄ、２１ｄも周縁部１５と同様に構成されている。この構成によれば、単位実装領域１０の裏面や周縁部１５の裏面にも樹脂層が形成されるので、単位実装領域１０と樹脂層との密着面積をさらに増大させることができ、樹脂層における亀裂や欠けの発生、樹脂層の剥離などを一層抑制できる。
【００４５】
図３（ｂ）に示す繋がり形態では、周縁部１５の表面および裏面が、それぞれ、第１、第２のリード部２０、２１の表面および裏面と段差を有するように構成されている。薄肉部２０ｄ、２１ｄも周縁部１５と同様に構成されている。この構成によれば、樹脂層を一体成型して個片化した場合に、周縁部１５が樹脂層中に広い範囲にわたって突出し、周縁部１５の表面および裏面に樹脂層が大面積で密着した状態になるので、周縁部１５と樹脂層との密着面積がより一層増大させることができ、樹脂層における亀裂や欠けの発生、樹脂層の剥離などを一層抑制できる。
【００４６】
これらの実施形態では、第１、第２のリード部２０、２１や、周縁部１５に後述する貫通孔を形成することが好ましい。これにより、樹脂層を一体成型する際に、単位実装領域１０の裏面への硬化性樹脂の回り込み性を向上させることができるとともに、単位実装領域１０と樹脂層との密着性のさらなる向上を図ることができる。
【００４７】
図４は、本発明の第２実施形態であるリードフレーム２に備わる単位実装領域１２および周縁部１５の構成を模式的に示す図面である。図４（ａ）は単位実装領域１２および周縁部１５の平面図であり、図４（ｂ）は図４（ａ）の切断面線Ａ−Ａにおける単位実装領域１２および周縁部１５の断面図である。単位実装領域１２は単位実装領域１０の変形例であり、単位実装領域１０と共通する部分については図１と同じ参照符号を付し、説明を省略する。図５は、本発明の第２実施形態であるリードフレーム２の要部の構成を模式的に示す平面図である。リードフレーム２はリードフレーム１の変形例であり、リードフレーム１と共通する部分については図２と同一の参照符号を付して説明を省略する。リードフレーム２において、任意の数の単位実装領域１２を縦横に配列することができる。
【００４８】
リードフレーム２は、例えば、フォトリソグラフィ技術を利用したエッチング法により作製され、単位実装領域１２と、複数の単位実装領域１２を縦横に連結し、個片化の際に切断により分離される連結領域１１と、連結領域１１により連結された複数の単位実装領域１２の集合体を一体的に支持する枠部（不図示）とを備え、連結領域１１および単位実装領域１２を有することを特徴とする。
【００４９】
単位実装領域１２は、第１のリード部２４と、第１のリード部２４と同じ単位実装領域１２において隣り合う第２のリード部２５と、第１、第２のリード部２４、２５の間を縦方向に延びるほぼ帯状の空間であり、第１、第２のリード部２４、２５を横方向に離隔して絶縁領域となるスリット部２２と、第１、第２のリード部２４、２５の樹脂層が形成される位置にこれらを厚み方向に貫通するアンカーホール２６と、を有していることを特徴とする。
【００５０】
第１、第２のリード部２４、２５の絶縁領域であるスリット部２２を臨む縁辺部は、それぞれ、スリット部２２に沿って延びかつ段差状に設けられた所定幅の薄肉部２４ｄ、２５ｄとなっている。薄肉部２４ｄ、２５ｄは、第１、第２のリード部２４、２５よりも薄肉になっている。本実施形態では、薄肉部２４ｄ、２５ｄと、第１、第２のリード部２４、２５のスリット部２２を臨む縁辺以外の周縁から外側に連続して設けられ、第１、第２のリード部２４、２５よりも薄肉である周縁部１５とは、同じ厚みを有し、かつ連続して繋がるように構成されている。
【００５１】
第１、第２のリード部２４、２５は、アンカーホール２６を有する以外は、第１、第２のリード部２０、２１と同じ構成を有している。アンカーホール２６は、本実施形態では第１、第２のリード部２４、２５にそれぞれ２個ずつ形成されているが、これに限定されず、第１、第２のリード部２４、２５や発光素子実装領域の寸法、第１、第２のリード部２４、２５に実装される発光素子の寸法や個数、第１、第２のリード部２４、２５を構成する金属材料の種類などに応じて適宜選択され、１個以上の任意の数とすることができる。なお、本発明のアンカーホールは、裏面側には貫通せず、座繰り状になっていてもかまわない。
【００５２】
アンカーホール２６の第１、第２のリード部２４、２５の表面（発光素子を実装する面）および裏面（表面の反対側の面）における開口形状は、本実施形態ではほぼ円形であるが、これに限定されず、三角形、四角形、五角形、六角形、八角形などの多角形、楕円形、星型、複数のアンカーホール２６が幅の狭い溝で繋がったような形状などの種々の形状とすることができる。
【００５３】
また、アンカーホール２６の内部空間の形状は、本実施形態では、第１、第２のリード部２４、２５の表面から裏面に向かう方向において、その内径が次第に拡径するテーパ状の形状（円錐台状）を有している。アンカーホール２６の内部空間の形状を上記のように構成することにより、単位実装領域１２表面に硬化性樹脂を供給して樹脂層を一体成型する際に、アンカーホール２６内に硬化性樹脂が流れ込んで杭の機能を有するアンカー樹脂層が形成される。アンカー樹脂層は、単位実装領域１２表面に形成された樹脂層と一体的に繋がった上で、該樹脂層が単位実装領域１２から剥離する方向に対して反対の方向に拡径しているので、該樹脂層の単位実装領域１２表面からの剥離を顕著に抑制することができる。
【００５４】
本実施形態では、円錐台状の内部空間を有するアンカーホール２６を形成しているが、これに限定されず、角錐台状、円柱状、多角柱状などの内部空間を有するアンカーホール２６を形成しても良い。また、本実施形態では、全てのアンカーホール２６の内部空間の内径が同じ方向において次第に拡径するテーパ状に形成しているが、特に単位実装領域１２の裏面まで樹脂層が形成される構成においては、テーパ状に拡径する方向が異なるアンカーホール２６を設けても良い。さらには、アンカーホール２６に代えて有底の凹部を設け、該凹部の内部空間形状を、円錐台状、角錐台状、円柱状、多角柱状などに構成しても良い。
【００５５】
図６は、本発明の第３実施形態であるリードフレーム３に備わる単位実装領域１２および周縁部１５Ａの構成を模式的に示す図面である。図６（ａ）は単位実装領域１２および周縁部１５Ａを表面側から見た平面図であり、図６（ｂ）は単位実装領域１２および周縁部１５Ａを裏面側から見た平面図であり、図６（ｃ）は図６（ａ）の切断面線Ｂ−Ｂにおける断面図である。図７は、第３実施形態のリードフレーム３の要部の構成を模式的に示す平面図である。リードフレーム３はリードフレーム２の変形例であり、リードフレーム２と共通する部分については図５と同じ参照符号を付して説明を省略する。リードフレーム３においては、任意の数の単位実装領域１２を縦横に配列することができる。
【００５６】
リードフレーム３は、例えば、フォトリソグラフィ技術を利用したエッチング法により作製され、単位実装領域１２と、複数の単位実装領域１２を縦横に連結し、個片化の際に切断により分離される連結領域１３と、連結領域１３により連結された複数の単位実装領域１２の集合体を一体的に支持する枠部（不図示）と、を備えている。
【００５７】
連結領域１３は、縦方向に対向する一対の単位実装領域１２における、一方および他方のスリット部２２を繋いでいる空間である対応領域２２ａを除いて、切断方向に沿って連続した板状に構成されており、第１、第２のリード部２４、２５の絶縁領域であるスリット部２２を臨む縁辺を除く周縁から外側に連続して設けられ、第１、第２のリード部２４、２５よりも薄肉であり、かつ厚み方向に貫通する貫通孔である複数のアンカーホール２７を有している周縁部１５Ａと、周縁部１５Ａの外側にさらに連続して設けられ、第１、第２のリード部２４、２５よりも薄肉である切断予定部１６とよりなる。本実施形態では、周縁部１５Ａおよび切断予定部１６は、表面および裏面がそれぞれ同一平面を形成し、かつ肉厚がほぼ同じになるように構成されている。切断予定部１６は、周縁部１５Ａよりも薄肉になっていてもよい。
【００５８】
図６（ｃ）に示すように、周縁部１５Ａの表面が、第１、第２のリード部２４、２５におけるスリット部２２を臨む縁辺部に段差状に設けられる薄肉部２４ｄ、２５ｄを除いた第１、第２のリード部２４、２５の表面との間に段差を有し、かつその裏面が、薄肉部２４ｄ、２５ｄも含めた第１、第２のリード部２４、２５の裏面と同一平面になるように構成されている。したがって、図６（ａ）に示すように、表面では第１、第２のリード部２４、２５が該表面に対して垂直な方向に突出しているが、図６（ｂ）に示すように、裏面では第１、第２のリード部２４、２５と周縁部１５Ａとが連続して繋がり、明確な境界のない状態になっている。
【００５９】
周縁部１５Ａは、厚み方向に貫通する貫通孔である複数のアンカーホール２７を有している。アンカーホール２７は、周縁部１５Ａにおける、第１、第２のリード部２４、２５との境界近傍において、第１、第２のリード部２４、２５の短辺（横方向に延びる辺）２４ａ、２５ａに沿うように複数個ずつ配列されている。本実施形態では、第１のリード部２４の短辺２４ａに沿って６個のアンカーホール２７が形成され、第２のリード部２５の短辺２５ａに沿って３個のアンカーホール２７が形成されている。アンカーホール２７の個数は本実施形態に限定されず、周縁部１５Ａの厚みや材質などに応じて任意の個数を選択できる。
【００６０】
アンカーホール２７は、第１、第２のリード部２４、２５よりも薄肉である周縁部１５Ａに形成されているため、本実施形態では、その孔径を第１、第２のリード部２４、２５に形成されているアンカーホール２６よりも小さくし、かつその個数をアンカーホール２６よりも多くするように構成している。アンカーホール２７は、その内部空間が、単位実装領域１２の表面から裏面に向かう方向において内径が次第に拡径するテーパ状の形状（ほぼ円錐台状）を有するように構成されている。アンカーホール２７は、アンカーホール２６に関する上述の種々の変形例を同様に有することができる。アンカーホール２６、２７を共に形成することにより、樹脂層の単位実装領域１２からの剥離を抑制する効果を一層向上させることができる。
【００６１】
また、本実施形態では、第１、第２のリード部２４、２５および周縁部１５Ａにそれぞれ別個にアンカーホール２６、２７を形成しているが、これに限定されず、第１、第２のリード部２４、２５と周縁部１５Ａとの境界近傍においてこれらに跨るようにアンカーホールを形成しても良い。なお、前述のように周縁部１５Ａにはアンカーホール２７や別形態のアンカーホールを形成できるが、切断予定部１６は切断方向に沿って連続した板状に構成されているので、貫通孔などが形成されることはない。
【００６２】
図８は、本発明の第４実施形態であるリードフレーム４に備わる単位実装領域１２および周縁部１５Ｂの構成を模式的に示す平面図である。図９は、第４実施形態のリードフレーム４の要部の構成を模式的に示す平面図である。リードフレーム４はリードフレーム３の変形例であり、リードフレーム３と共通する部分については図７と同じ参照符号を付して説明を省略する。リードフレーム４においては、任意の数の単位実装領域１２を縦横に配列することができる。
【００６３】
リードフレーム４は、例えば、フォトリソグラフィ技術を利用したエッチング法により作製され、単位実装領域１２と、複数の単位実装領域１２を縦横に連結し、個片化の際に切断により分離される連結領域１４と、連結領域１４により連結された複数の単位実装領域１２の集合体を一体的に支持する枠部（不図示）とを備えている。
【００６４】
連結領域１４は、縦方向に対向する一対の単位実装領域１２における、一方および他方のスリット部２２を繋いでいる空間である対応領域２２ａを除いて、切断方向に沿って連続した板状に構成されており、第１、第２のリード部２４、２５の絶縁領域であるスリット部２２を臨む縁辺を除く周縁から外側に連続して設けられ、第１、第２のリード部２４、２５よりも薄肉であり、かつ厚み方向に貫通する貫通孔である複数のアンカーホール２７を有している周縁部１５Ｂと、周縁部１５Ｂの外側にさらに連続して設けられ、第１、第２のリード部２４、２５よりも薄肉である切断予定部１６とよりなる。本実施形態では、周縁部１５Ｂおよび切断予定部１６は、表面および裏面がそれぞれ同一平面を形成し、かつ肉厚がほぼ同じになるように構成されている。切断予定部１６は、周縁部１５Ｂよりも薄肉になっていてもよい。また、周縁部１５Ｂにはアンカーホール２７や別形態のアンカーホールを形成できるが、切断予定部１６は切断方向に沿って連続した板状に構成されているので、貫通孔などが形成されることはない。
【００６５】
周縁部１５Ｂは、複数のアンカーホール２７を有している。アンカーホール２７は、周縁部１５Ｂにおける第１、第２のリード部２４、２５との境界近傍において、第１、第２のリード部２４、２５の短辺（横方向に延びる辺）２４ａ、２５ａに沿うように複数個形成されると共に、第１、第２のリード部２４、２５のスリット部２２を介して対向する縁辺とは反対側の長辺（縦方向に延びる辺）２４ｂ、２５ｂに沿うように複数個形成されている。本実施形態では、第１、第２のリード部２４、２５の短辺２４ａ、２５ａに沿うようにそれぞれ５個（または３個）のアンカーホール２７が形成され、第１、第２のリード部２４、２５の長辺２４ｂ、２５ｂに沿うようにそれぞれ４個（または６個）のアンカーホール２７が形成されているが、これに限定されず、任意の個数とすることができる。
【００６６】
本実施形態では、連結領域１４が、単位実装領域１２のスリット部２２を縦方向に繋いでいる対応領域２２ａを除いて、切断方向に沿って連続した板状に構成されていることから、周縁部１５Ｂに多数のアンカーホール２７を形成しても、リードフレーム４の剛性をほとんど低下させることがない。しかも、多数のアンカーホール２７を形成することにより、樹脂層の単位実装領域１２からの剥離を抑制する効果をより一層向上させることができる。したがって、個片化時における樹脂層の剥離を顕著に抑制して不良品率を低下させ得ると共に、発光装置としての信頼性や耐用性を高めることができる。
【００６７】
図１０は、本発明の第５実施形態であるリードフレーム５の要部である連結領域１１Ａの構成を模式的に示す断面図である。リードフレーム５はリードフレーム１の変形例であり、リードフレーム１と共通する部分については図１と同じ参照符号を付して説明を省略する。
【００６８】
リードフレーム５は、例えば、フォトリソグラフィ技術を利用したエッチング法により作製され、第１、第２のリード部２０、２１と、第１、第２のリード部２０、２１を横方向に離隔するスリット部２２とから構成される単位実装領域１０と、複数の単位実装領域１０を縦横に連結し、個片化の際に切断により分離される連結領域１１Ａと、連結領域１１Ａにより連結された複数の単位実装領域１０の集合体を一体的に支持する枠部（不図示）とを備えている。
【００６９】
連結領域１１Ａは、縦方向に対向する一対の単位実装領域１０において、一方および他方のスリット部２２を連結する空間である対応領域を除いて、連続した板状に形成され、第１、第２のリード部２０、２１よりも薄肉に構成されている。
【００７０】
本実施形態の連結領域１１Ａは、肉厚が相対的に小さい領域１１Ｘと、肉厚が相対的に大きい領域１１Ｙとを有している。本実施形態では、領域１１Ｘを、個片化の際に切断される切断予定部とし、領域１１Ｙを、個片化により切断した後に、第１、第２のリード部２０、２１のスリット部２２を臨む縁辺以外の周縁から外側に連続して繋がる周縁部としてもよい。これにより、リードフレーム５の剛性をほとんど低下させることなく、個片化時の切断性を向上させることができる。
【００７１】
また、領域Ｘと領域Ｙとが、それぞれ、絶縁部および切断予定部に跨るように構成することもできる。例えば、横方向に対向する一対の単位実装領域１０において、一方の単位実装領域１０の第２のリード部２１と、他方の単位実装領域１０の第１のリード部２０とを帯状の幅の狭い領域１１Ｙで繋ぎ、それ以外の部分を領域１１Ｘで繋ぐように構成することができる。また、領域Ｘと領域Ｙとを逆にしても良い。
【００７２】
同様に、縦方向に対向する一対の単位実装領域１０において、第１のリード部２０同士、および第２のリード部２１同士をそれぞれ縦方向に繋ぐ幅の小さな帯状の領域１１Ｙを設けるとともに、一方の第１のリード部２０と他方の第２のリード部２１とを斜め方向に繋ぐ幅の小さな帯状の領域１１Ｙを設け、それ以外の部分を領域１１Ｘで繋ぐように構成することもできる。また、領域Ｘと領域Ｙとを逆にしても良い。
【００７３】
上記のように構成しても、個片化後の断面は、微細な切断片を有さない、ほぼ直線状の断面となるので、本発明における単位実装領域１０と樹脂層との良好な密着性、リードフレーム５の高い剛性などを損なうことなく、個片化時の切断性を向上させることができる。
【００７４】
図１１は、本発明の第６実施形態であるリードフレーム６の要部の構成を模式的に示す平面図である。リードフレーム６はリードフレーム１の変形例であり、共通する部分には図２と同じ参照符号を付して説明を省略する。
【００７５】
リードフレーム６は、例えば、フォトリソグラフィ技術を利用したエッチング法により作製され、第１、第２のリード部２０、２１と、第１、第２のリード部２０、２１を横方向に離隔するスリット部２２とから構成される単位実装領域１０と、複数の単位実装領域１０を縦横に連結し、個片化の際に切断により分離される連結領域１１と、縦方向に対向する一対の単位実装領域１０Ａ、１０Ｂのスリット部２２の領域において、一方および他方のスリット部２２を連結する対応領域に設けられ、単位実装領域１０Ｂの第１のリード部２０に続く周縁部１５と単位実装領域１０Ａの第２のリード部２１に続く周縁部１５とを斜め方向に繋ぐ連結辺２８と、を備えている。
【００７６】
連結片２８は、単位実装領域１０Ａ、１０Ｂの間の切断予定部１６を横切るように設けられ、単位実装領域１０Ｂにおける第１のリード部２０に続く周縁部１５からの２つの起点のうちの縦方向上方を起点Ｂとし、単位実装領域１０Ａにおける第２のリード部２１に続く周縁部１５からの２つの起点のうちの縦方向下方を起点Ａとした時、切断予定領域１６内にて、起点Ｂが起点Ａよりも縦方向において低い位置にあるように構成されている。このように構成することにより、単位実装領域１０Ａ、１０Ｂの間の切断予定部１６を切断方向に沿って切断した場合、これらの切断面は、微細な断片を有さず、ほぼ直線状に連続して長く延びる面となる。
【００７７】
このように構成することにより、リードフレーム６から構成される樹脂成型体や発光装置における樹脂層とリードフレーム６または単位実装領域１０との密着性、発光装置の放熱性などを高水準に維持したまま、リードフレーム６の切断性をほとんど低下させることなく、リードフレーム６の剛性をさらに高めることができる。
【００７８】
次に、本発明の発光素子実装用樹脂成型体（以下、単に「樹脂成型体」とすることがある。）は、本発明のリードフレームの表面に樹脂層を一体成型したものである。すなわち、本発明の樹脂成型体は、従来のリードフレームに代えて本発明のリードフレームを用いる以外は、公知の樹脂成型体の構成を採用することができる。
【００７９】
図１２は、リードフレーム１を用いて作製された本発明の第７実施形態である樹脂成型体３０の構成を模式的に示す図面である。図１２（ａ）は樹脂成型体３０の全体外観を模式的に示す斜視図である。図１２（ｂ）は樹脂成形体３０の要部の構成を模式的に示す平面図である。図１２（ｃ）は樹脂成形体３０を個片化したリフレクタ３６の外観を示す斜視図である。図１２（ｄ）はリフレクタ３６の断面図である。
【００８０】
樹脂成型体３０は薄板状の形状を有し、リードフレーム１と、リードフレーム１の表面に一体成型された樹脂層３１とを備える。樹脂層３１は、リードフレーム１の表面から立ち上がるように形成され、底面３３に単位実装領域１０が露出した凹部３２を形成する穴を複数有し、発光素子からの光を前方に向けて反射する反射部３４と、単位実装領域１０のスリット部２２内に形成され、第１、第２のリード部２０、２１間に介在してこれらを絶縁する絶縁部３５とからなる。樹脂層３１及び凹部３２の形状は特に限定されず、公知の形状から適宜選択できる。
【００８１】
反射部３４においては、リードフレーム１の単位実装領域１０の個数に対応する数の穴が設けられている。樹脂成型体３０の裏面には、絶縁部３５の裏面を介して、第１のリード部および周縁部１５の裏面、並びに第２リード部２１および周縁部１５の裏面が、それぞれ同一平面として露出している。
【００８２】
このような樹脂層３１を有する樹脂成型体３０は、例えば、所定の内部空間形状を有する金型および硬化性樹脂を用いて、リードフレーム１に対してトランスファモールド成型を施すことにより形成することができる。なお、リードフレーム１に代えて連結領域の構造を変更したリードフレームを用いたり、または金型の内部空間形状を調整したりして、樹脂成型体３０の裏面側にも樹脂層が形成されるように構成してもよい。
【００８３】
樹脂成形体３０を切断などで個片化することにより、図１１（ｃ）に示すリフレクタ３６が得られる。リフレクタ３６は、その側面において、絶縁部３５の断面３５ａが露出する領域を除いて、周縁部１５の断面１５ａがほぼ全周にわたって露出していることを特徴とする。また、リフレクタ３６は、単位実装領域１０の第１、第２のリード部２０、２１の外周を構成する周縁部１５が比較的大きな面積で樹脂層３１と密着しているので、樹脂成型体３０を個片化する際やリフレクタ３６に発光素子を実装する際に外部から掛かる応力を一点集中させることなく、密着面のほぼ全域にほぼ均一に分散させることができる。その結果、樹脂層３１における亀裂や欠けの発生、樹脂層３１の単位実装領域１０からの剥離などを顕著に抑制できる。
【００８４】
なお、リフレクタ３６では、図１１（ｄ）に示すように、第１、第２のリード部２０、２１の凹部３２の底面３３に露出する領域を第１、第２のインナーリード部２０ｘ、２１ｘと呼び、第１、２のインナーリード部２０ｘ、２１ｘにそれぞれ繋がって、樹脂層３１と接する領域を第１、第２のアウターリード部２０ｙ、２１ｙと呼ぶ。
【００８５】
図１３は、本発明の第８実施形態である発光装置４０の構成を模式的に示す斜視図である。発光装置４０は、リードフレーム１の単位実装領域１０と、前記単位実装領域１０に一体成型されて、単位実装領域１０の表面が底面に露出する凹部３２を形成する複数の穴を有する樹脂層３１と、凹部３２の底面３３に露出する単位実装領域１０の第１、第２のリード部２０、２１と通電可能に実装される発光素子４１と、凹部３２に充填される透明性樹脂よりなる透明性樹脂層（不図示）とを備えている。
【００８６】
発光装置４０において、凹部３２の底面３３には、第１、第２のリード部２０、２１及びこれらを絶縁する絶縁部３５の一部がそれぞれ露出する。そして、第１のリード部２０表面には発光素子４１が固定され、発光素子４１に接続された２本の金線等のワイヤーボンディング４２、４３のうち、一方のワイヤーボンディング４２が第１のリード部２０に接続され、他方のワイヤーボンディング４３が第２のリード部２１に接続されることにより、凹部３２の底面３３に発光素子４１が実装されている。発光素子４１の実装後、凹部３２には液状透明性樹脂が充填され、透明性樹脂層が形成される。
【００８７】
発光装置４０は、その側面において、絶縁部３５の断面３５ａが露出する領域を除いて、周縁部１５の断面１５ａがほぼ全周にわたって露出している。これにより、発光素子４１の発熱を効率よく外部に放出することが可能になり、発光装置４０の耐熱性や耐用性を一層高めることができる。また、微細な切断片ではなく、周縁部１５と樹脂層３１とがほぼ全域にわたって密着していることにより、発光装置４０を照明器具や液晶装置などに取り付ける際や、発光装置４０を取り付けた照明器具や液晶装置に対して外部から応力が付加された場合でも、応力が分散化されるので、樹脂層３１における亀裂や欠けの発生、樹脂層３１の単位実装領域１０からの剥離などが顕著に抑制される。したがって、この点でも、発光装置４０の耐用性を向上させることができる。なお、トランスファモールド成型用金型の内部空間の形状を調整して、周縁部１５の断面１５ａの近傍にザグリ部を設け、放熱性をさらに高めることもできる。
【００８８】
発光装置４０は、本発明のリードフレームを用いる以外は公知の方法と同様にして作製でき、例えば、樹脂成型体３０の各凹部３２に発光素子４１を実装しかつ透明性樹脂層を形成した後、切断などにより個片化することにより作製したり、樹脂成型体３０を個片化し、得られたリフレクタ３６の凹部３２に発光素子４１を実装しかつ透明性樹脂層を形成することによって作製したりしてもよい。
【００８９】
本発明の発光装置は、本実施形態の発光装置４０の構造に限定されず、本発明のリードフレームを用いて作製する以外は、公知の発光装置の構造をいずれも採用できる。
【００９０】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００９１】
１、２、３、４、５、６  リードフレーム
１０、１２  単位実装領域
１１、１１Ａ、１３、１４  連結領域
１５、１５Ａ、１５Ｂ  周縁部
１６  切断予定部
２０、２４  第１のリード部
２１、２５  第２のリード部
２２  スリット部（絶縁領域）
２２ａ  対応領域
２６、２７  アンカーホール
２８  連結片
３０  樹脂成型体
３１  樹脂層
３２  凹部
３３  底面
３４  反射部
３５  絶縁部
３６  リフレクタ
４０  発光装置
４１  発光素子
４２、４３  ワイヤーボンディング
【図１】
2015056591.tif 000003
【図２】
2015056591.tif 000004
【図３】
2015056591.tif 000005
【図４】
2015056591.tif 000006
【図５】
2015056591.tif 000007
【図６】
2015056591.tif 000008
【図７】
2015056591.tif 000009
【図８】
2015056591.tif 000010
【図９】
2015056591.tif 000011
【図１０】
2015056591.tif 000012
【図１１】
2015056591.tif 000013
【図１２】
2015056591.tif 000014
【図１３】
2015056591.tif 000015
【図１４】
2015056591.tif 000016
【図１５】
2015056591.tif 000017